(57)【要約】【課題】顔写真を印刷した名刺等のカードを効率的に製造することが可能な冊子体の製造方法および装置を提供すると共に、利用時にカードの受け渡しがスムーズな構造の冊子体を提供する。【解決手段】顔写真が印刷されたカード７２を複数枚重ねると共に、その表側に表紙７１を重ね、裏側に裏紙７３を重ねる。表紙７１、カード７２、裏紙７３はその下端部において背糊７４で固着される。背糊７４は容易に剥離可能となっている。また、下端部で固着されているため、利用時にカード７２を剥離してそのままの方向で手渡すことが可能となる。【選択図】　図７
2004034521.tif 000002
【特許請求の範囲】
【請求項１】
個人を特定する情報と共に当該個人に対応する顔写真が印刷されたカードが、複数枚重ねられており、当該カードの下端部が綴じられてなることを特徴とする冊子体。
【請求項２】
個人情報が記録された個人情報データベース、顔写真の画像データが記録された画像データベース、カード上における各情報の配置位置を規定したレイアウト情報を記憶したカードレイアウト記憶部を準備する段階と、
複数人の個人ＩＤに対応した冊子体の発注冊数である冊子体発注情報を入力する段階と、
前記冊子体の発注冊数に基づいて、１用紙面に割付ける各個人のカード面の数を決定して割付情報を作成する段階と、
前記割付情報を用いてレイアウト情報、個人情報、画像データを配置して印刷用データを作成する段階と、
作成された印刷用データを用いて順次印刷する段階と、
印刷された各印刷用紙を重ね合わせて各カード面毎に断裁および背糊綴じを行う段階と、
を有することを特徴とする冊子体製造方法。
【請求項３】
個人情報が記録された個人情報データベースと、
顔写真の画像データが記録された画像データベースと、
カード上における各情報の配置位置を規定したレイアウト情報を記憶したカードレイアウト記憶部と、
複数人の個人ＩＤに対応した冊子体の発注冊数である冊子体発注情報を入力する発注情報入力手段と、
前記冊子体の発注冊数に基づいて、各個人の印刷枚数を決定し、各個人のカード面の数を決定して割付情報を作成する割付情報作成手段と、
前記作成された割付情報および対応するレイアウト情報、画像データおよび個人情報に基づいてイメージデータを作成する印刷データ処理手段と、
前記作成されたイメージデータに基づいて用紙に順次印刷を行う印刷処理手段と、
印刷された各用紙を重ね合わせる重ね合わせ手段と、
重ね合わせられたカードの下端部に背糊を行うことにより背糊綴じを実行する背糊手段と、
背糊綴じされた用紙を各カード面ごとに切断して冊子体に分離する分離手段と、
を有することを特徴とする冊子体製造装置。
【発明の詳細な説明】
【０００１】
【産業上の利用分野】
本発明は、顔写真が入ったカードの冊子体、およびそのような冊子体の製造方法および装置に関する。
【０００２】
【従来の技術】
古くから他人に自分を良く知ってもらうために、名刺を配ることが行われている。最近では、印刷技術の発展により顔写真を印刷した名刺も利用されるようになってきている。
【０００３】
【発明が解決しようとする課題】
しかしながら、上記顔写真を印刷した名刺は製造コストが高いという問題がある。そこで、本発明は、顔写真を印刷した名刺等のカードを効率的に製造することが可能な冊子体の製造方法および装置を提供すると共に、利用時にカードの受け渡しがスムーズな構造の冊子体を提供することを課題とする。
【０００４】
【課題を解決するための手段】
上記課題を解決するため、本発明では、個人情報が記録された個人情報データベース、顔写真の画像データが記録された画像データベース、カード上における各情報の配置位置を規定したレイアウト情報を記憶したカードレイアウト記憶部を準備する段階、複数人の個人ＩＤに対応した冊子体の発注冊数である冊子体発注情報を入力する段階、前記冊子体の発注冊数に基づいて、１用紙面に割付ける各個人のカード面の数を決定して割付情報を作成する段階、前記割付情報を用いてレイアウト情報、個人情報、画像データを配置して印刷用データを作成する段階、作成された印刷用データを用いて順次印刷する段階、印刷された各印刷用紙を重ね合わせて各カード面毎に断裁および背糊綴じを行う段階を実行するようにしたことを特徴とする。
本発明によれば、各個人の発注冊数に基づいて１用紙面に割付けるカード面の数を決定し、各個人について決定したカード面数分の印刷を順次行い、断裁および背糊綴じを行うようにしたので、各個人用のカードの冊子体を効率良く作成することが可能となる。
【０００５】
また、本発明による冊子体では、個人を特定する情報が印字されていると共に当該個人に対応する顔写真が印刷されたカードが、複数枚重ねられており、当該カードの下端部が綴じられてなるので、自身を紹介するための名刺として、カードを顧客に渡す際に、冊子体から剥離する動作から連続してスムーズに渡すことが可能となる。
【０００６】
【発明の実施の形態】
以下、本発明の好適な実施形態について、図面を参照して詳細に説明する。
（前準備）
まず、冊子体の作成に必要な情報を用意するための前準備について説明する。本実施形態では、カードとして各個人の情報が記載されたもの、すなわち名刺としての役割を果たすものを作成する場合について説明する。まず、冊子体の発注者側が製造者側に冊子体の発注を行う。これは、例えばあらかじめ用意された所定のフォーマットの登録用紙に必要事項を記入することにより行われる。登録用紙には、印刷される個人の個人情報の記入欄および顔写真の貼付欄が用意されている。発注者側は、記入欄に必要な情報を記入すると共に、写真貼付欄に顔写真を貼付して、製造者側に渡す。
【０００７】
製造者側では、受け取った登録用紙をスキャナで読取り、デジタルデータに変換して画像データベースに登録する。個人情報については、スキャナで読取った情報を文字認識により文字コード化して個人情報データベースに登録する。また、顔写真は光学スキャナでスキャン後、デジタル化、モノクロ２値化、背景削除、トリミングの工程を経て画像データベースに登録される。画像データベース内の画像データは、個人情報のうちの個人ＩＤ番号にて管理される。なお、個人情報については、登録用紙に記入された情報をオペレータがコンピュータ端末より直接キー入力するようにしても良い。
【０００８】
（装置構成）
続いて、本発明に係る冊子体製造方法を実現するための装置構成について説明する。図１に、印刷工程までの機能ブロック図を示す。図１において、１１は発注情報入力手段、１２は画像データベース、１３は個人情報データベース、１４は割付情報作成手段、１５はカードレイアウト記憶部、２０は印刷機、２１は印刷データ制御手段、２２は印刷処理手段である。
【０００９】
図１に示した構成のうち、発注情報入力手段１１は、冊子体の発注情報を入力するためのものであり、記録媒体の読取装置もしくはマウスやキーボード等のデータ入力機器で実現される。画像データベース１２は、各個人の顔写真の２値画像データを各個人のＩＤと対応付けて記録したデータベースである。個人情報データベース１３は、各個人の個人情報のうち、画像データ以外のものを記録したデータベースである。なお、画像データベース１２、個人情報データベース１３に記録された情報の用意する手順は、前準備で説明した通りである。割付情報作成手段１４は、発注情報入力手段１１から入力された発注情報に基づいて、画像データベース１２、個人情報データベース１３、カードレイアウト記憶部１５から必要な情報を抽出し、割付情報を作成する機能を有する。カードレイアウト記憶部１５はカード内のレイアウトを記録したものである。なお、画像データベース１２、個人情報データベース１３、カードレイアウト記憶部１５は、ハードディスク等の外部記憶装置により実現され、割付情報作成手段１４は、ＣＰＵおよびＣＰＵに読込まれて実行される専用のソフトウェアで実現される。全体として、発注情報入力手段１１、画像データベース１２、個人情報データベース１３、割付情報作成手段１４、カードレイアウト記憶部１５はパーソナルコンピュータ等のコンピュータおよびその周辺機器により実現される。
【００１０】
ここで、画像データベース１２、個人情報データベース１３、カードレイアウト記憶部１５に記録された情報について説明しておく。画像データベース１２には上述のように顔写真の２値画像データが個人ＩＤと共に記録されている。個人情報データベース１３には、画像データ以外の個人情報が記録されている。個人情報データベース１３内に記録されている個人情報の一例を図２に示す。図２に示す例では、個人情報として、個人を特定するための個人ＩＤの他、役職、指名、電話、ＦＡＸ、所在地等のカードに印刷するべき情報が記録されている。カードレイアウト記憶部１５には、カード上に写真画像および個人情報をどのように配置すべきかについての情報が記録されている。カードレイアウト情報にしたがって、写真画像および個人情報を配置したカードの状態を図３に示す。図３において、３１は写真画像印刷領域、３２は役職印刷領域、３３は氏名印刷領域、３４は電話番号印刷領域、３５はＦＡＸ番号印刷領域、３６は所在地印刷領域である。図３に示した写真画像印刷領域３１には、画像データベース１２から抽出された画像データが印刷され、他の領域には、個人情報データベース１３から抽出された各データが印字されることになる。
【００１１】
また、図１中、印刷機２０は、割付情報作成手段１４により作成された割付情報および対応するカードレイアウト、画像データ、個人情報データに従って印刷を行うためのものである。印刷機２０は、印刷データ制御手段２１と、印刷処理手段２２を有している。印刷データ制御手段２１は、割付情報作成手段１４から受け取った情報に基づいてイメージデータを作成する機能を有する。印刷処理手段２２は、作成されたイメージデータを受け取って用紙に印刷する機能を有する。印刷機２０は、現実には、周知の高密度プリンタで実現される。このような高密度プリンタは、ＣＰＵを搭載して、割付情報からイメージデータを作成することが可能となっており、このＣＰＵで印刷データ制御手段２１が実現される。また、印刷処理手段２２は、イメージデータをドラムに焼き付ける機構、トナーを塗布する機構、ロール紙を供給するための供給機構等の物理的な機構で実現される。
【００１２】
（処理の流れ）
続いて、本発明に係る冊子体製造方法の流れについて具体的に説明する。図４は本発明に係る冊子体製造方法のフローチャートである。まず、発注情報入力手段１１より発注情報を入力する（ステップＳ１）。発注情報としては、最低限、個人ＩＤおよび発注冊数の情報が必要となる。続いて、割付情報作成手段１４が、入力された発注情報に基づいて、画像データベース１２、個人情報データベース１３、カードレイアウト記憶部１５から必要な情報を抽出し、割付情報を作成する（ステップＳ２）。ここで、割付情報の一例を図５に示す。図５に示すように割付情報には、１面に１６枚分のカード面が割り付けられている。なお、右側にも８面分用意されているが、ここには、左半分の８面と全く同様に割付けが行われる。本実施形態では、１０冊単位で発注を受け付けており、割付情報上では、各個人について発注冊数の１／１０のカード面が割り当てられる。例えば、発注情報としてＡ氏が５０冊、Ｂ氏が５０冊、Ｃ氏が５０冊、Ｄ氏が４０冊の場合、カード面はＡ氏が５面、Ｂ氏が５面、Ｃ氏が５面、Ｄ氏が４面割り当てられることになる。具体的には、第１番目の割付情報には、図５（ａ）に示すように、Ａ氏が５面、Ｂ氏が３面割り当てられ、第２番目の割付情報には、図５（ｂ）に示すように、Ｂ氏が２面、Ｃ氏が５面、Ｄ氏が１面割り当てられる。Ｄ氏の残り３面は、次の第３番目の割付情報に割り当てられることになる。このようにして、発注情報に記録されている全ての個人に対して、その発注冊数に基づいた面数の割り付けが行われる。なお、図５において、５１は印刷時に用紙を送るために用いられる送り孔、５２は送り孔５１部分を切離すためのミシン目、５３は用紙を２つにスリットする際のスリット位置を示している。
【００１３】
次に、作成された割付情報および抽出された画像データ、個人情報データを用いて印刷機２０により印刷が行われる（ステップＳ３）。具体的には、印刷データ制御手段２１が、割付情報に割付けられた各個人に対応する画像データ、個人情報を抽出してカードレイアウト情報に従ってデータの割付けを行ってイメージデータを作成して、印刷処理手段２２に渡す。印刷処理手段２２では、イメージデータを用いて１冊の枚数×１０×１／２だけの枚数の印刷を行う。ここで、１０と１／２をそれぞれ１冊の枚数に乗じているが、１０を乗じているのは、１カード面について１０冊分印刷を行うためであり、１／２を乗じているのは、図５で説明したように、左右で同一の割付け構成としているので、１枚の用紙に２倍のカードができるためである。そのため、図５のように左右に同一の割付けを行わない場合は、１冊の枚数×冊数分の印刷を行うことになる。なお、図５に示したように１枚の用紙の左右に同様の割付けをしたのは、印刷機の構造上の特徴による。本実施形態で用いる印刷機では、中央でスリット（切断）した後、交互に帳合する機構が備わっているため、図５に示したような割付けとしている。本実施形態では、１冊の枚数を５２枚としているので、１つの割付け情報を用いて２６０枚分印刷が行われることになる。すなわち、２６０枚を単位として、まず、印刷データ制御手段２１が第１の割付け情報に基づいて第１のイメージデータを作成し、印刷処理手段２２が第１のイメージデータを用いて２６０枚印刷する。続いて、印刷データ制御手段２１が第２の割付け情報に基づいて第２のイメージデータを作成し、印刷処理手段２２が第２のイメージデータを用いて２６０枚印刷する。このようにして割付け情報の数（本実施形態では１６）×２６０枚の印刷が行われることになる。
【００１４】
なお、冊子体を構成する５２枚のうち、１番上と１番下は管理用のカードとなる。１番上は、いわゆる表紙の役割を果たすものであり、１番下は、汚れを防止するために用いられる。したがって、厳密には２６０枚全てが同一のイメージデータで印刷されるわけではない。ただし、５２枚中５０枚のデータは同じであるので、２枚のイメージデータを変更するだけで良い。
【００１５】
印刷が行われたら、スリットして帳合を行う（ステップＳ４）。具体的には、図５の矢印部分５３で左右２つに分けられ、重ね合わせられる。この結果、１紙面に８つのカード面を有する用紙が５２０枚得られることになる。このときの用紙を重ねた状態を図６（ａ）に示す。
【００１６】
続いて、用紙を５２枚の束に分け、各束のカード面１〜カード面４側の端に背糊することにより仮製本を行う（ステップＳ５）。次に、カード面１〜カード面４とカード面５〜カード面８を切断して分離する。さらに、カード面５〜カード面８の端を断裁して、断裁した部分に背糊することにより仮製本を行う（ステップＳ６）。このときの用紙を重ねた状態を図６（ｂ）に示す。次に、各カード面ごとに切断して分離し、図７（ａ）に示すようなカードの冊子体が得られる（ステップＳ７）。
【００１７】
これにより、１つの割付情報から１つのカード面について１０冊の冊子体が得られる。Ａ氏はカード面１〜５に割り当てられているので第１の割付情報から５０冊の冊子体が得られることになる。同様にＢ氏については、第１の割付情報から３０冊、第２の割付情報から２０冊で計５０冊得られることになる。
【００１８】
完成した冊子体の様子を図７に示す。図７（ａ）は冊子体の斜視図である。図７（ａ）において７１は表紙、７２はカード、７３は裏紙である。本実施形態の場合、表紙７１が１枚、裏紙７３が１枚であり、その間にカード７２が５０枚挟まれた構成となっている。図７（ａ）の矢印方向から見た楕円で囲った部分の拡大断面図を図７（ｂ）に示す。図７（ｂ）において網掛け表現した７４は、背糊を示す。背糊７４は、背糊工程で塗布されるものであり、容易に剥離可能なものであれば、特にその組成は限定されず、周知の種々のものが利用可能である。この背糊７４により表紙７１、カード７２、裏紙７３の計５２枚が固着されて１つの冊子体が形成される。利用時には、まず冊子体から表紙７１を剥がす。すると、図３（ｃ）に示すように冊子体の表面には、カード７２が現れる。以降は名刺のような役割として１枚ずつ剥がしながら利用することになる。この際、カード上端部には接着加工は全く行われておらず、各カードが重ねられているだけであり、カード下端部に背糊が行われているので、カードの保有者は、カードの上端部をつかんでそのまま力を加えることにより、冊子体から１枚のカードを剥がすことになる。これにより、カードの剥離動作からカードの向きを変えずに、相手にカードを渡すことができ、受け取る相手は、カードの上下が正しく自分に向いた状態でカードを受け取ることができる。
【００１９】
以上、本発明の好適な実施形態について説明したが、本発明は上記実施形態に限定されず、種々の変形が可能である。例えば、上記実施形態では、名刺としての役割を果たすカード５０枚の他に、表紙と裏紙を設けた構成としたが、表紙と裏紙は必須のものではなく、カードのみ、あるいはカードと表紙のみ、あるいはカードと裏紙のみのいずれの構成であっても良い。
【００２０】
また、上記実施形態では、図５に示したように割付情報を左右の８面づつで全く同じものとしたが、これは、印刷機の構造上の特性に合わせたものである。そのため、割付情報を各面ごとに決定するようにしても良い。この場合、ステップＳ５に示したスリットおよび帳合工程は必要無くなる。
【００２１】
【発明の効果】
以上、説明したように本発明によれば、個人情報が記録された個人情報データベース、顔写真の画像データが記録された画像データベース、カード上における各情報の配置位置を規定したレイアウト情報を記憶したカードレイアウト記憶部を準備し、複数人の個人ＩＤに対応した冊子体の発注冊数である冊子体発注情報を入力し、冊子体の発注冊数に基づいて、１用紙面に割付ける各個人のカード面の数を決定して割付情報を作成し、割付情報を用いてレイアウト情報、個人情報、画像データを配置して印刷用データを作成する段階、作成された印刷用データを用いて順次印刷し、印刷された各印刷用紙を重ね合わせて各カード面毎に断裁および背糊綴じを行うようにしたので、各個人用のカードの冊子体を効率良く作成することが可能となるという効果を奏する。
【００２２】
また、本発明による冊子体では、個人を特定する情報が印字されていると共に当該個人に対応する顔写真が印刷されたカードが、複数枚重ねられており、背糊にて綴じられた冊子体としているので、名刺入れなどを利用して管理をすることなく持ち歩きが可能である。さらに、当該カードの下端部が綴じられてなるので、自身を紹介するための名刺として、カードを顧客に渡す際に、冊子体から切離す動作から連続してスムーズに渡すことが可能となるとなるという効果を奏する。
【図面の簡単な説明】
【図１】本発明に係る冊子体製造方法を実現するための装置構成図である。
【図２】個人情報データベース１３に記録された個人情報の一例を示す図である。
【図３】本発明による冊子体を構成するカードの一例を示すである。
【図４】本発明に係る冊子体製造方法の概要を示すフローチャートである。
【図５】カード面の割付情報の一例を示す図である。
【図６】断裁および背糊工程を示す図である。
【図７】本発明による冊子体の斜視図および断面図である。
【符号の説明】
１〜８・・・カード面
１１・・・発注情報入力手段
１２・・・画像データベース
１３・・・個人情報データベース
１４・・・割付情報作成手段
１５・・・カードレイアウト記憶部
２０・・・印刷機
２１・・・印刷データ制御手段
２２・・・印刷処理手段
３１・・・写真画像印刷領域
３２・・・役職印刷領域
３３・・・氏名印刷領域
３４・・・電話番号印刷領域
３５・・・ＦＡＸ番号印刷領域
３６・・・所在地印刷領域
５１・・・用紙送り孔
５２・・・ミシン目
５３・・・スリット位置
７１・・・表紙
７２・・・カード
７３・・・裏紙
７４・・・背糊
【図１】
2004034521.tif 000003
【図２】
2004034521.tif 000004
【図３】
2004034521.tif 000005
【図４】
2004034521.tif 000006
【図５】
2004034521.tif 000007
【図６】
2004034521.tif 000008
【図７】
2004034521.tif 000009